(57)【特許請求の範囲】
【請求項１】
窓枠側に取付けられる帯板状の枠プレートと、障子側に取付けられる障子プレートと、前記枠プレートに一端部が回動自在に連結され、他端部が障子プレートに回動自在に連結されたアームと、前記障子プレートに一端部が回動自在に連結されたスライダとから成り、前記枠プレートには両端方向に長く延びるガイドレールを設け、そのガイドレールには、スライダの他端部の移動を案内するガイド溝を形成し、そのガイド溝の開口縁から内向きに設けられたフランジの端部に前記ガイド溝の端部開口を閉じる案内片を設け、前記スライダの他端部には、前記ガイド溝に沿ってスライドし、障子プレートが枠プレートに上下でほぼ平行する閉鎖状態の手前位置から前記案内片に接触し始めて、その案内片の内面に沿う移動によりスライダの向きを変更するガイド突部と、そのガイド突部との間に前記フランジが挿入される間隔をおいて対向するガイド面とを設け、このガイド面には、ガイド突部と対向する位置に前記フランジと案内片の連成部が嵌合可能な切欠部を形成した窓用ステー。
【発明の詳細な説明】
【０００１】
【発明の属する技術分野】
この発明は、窓枠内に組込まれた障子を開閉自在に支持する窓用ステーに関するものである。
【０００２】
【従来の技術】
窓枠の開口を開閉する障子の支持に際し、ヒンジを用いて開閉自在に支持すると、障子の閉鎖状態において、その揺動中心側の端部を窓枠に密着させることができず、良好な密閉性を得ることができない。また、障子は窓枠の一方のたて枠に固定されるヒンジを中心として開閉するため、その一方のたて枠と開放状態とされた窓枠との間に微小な間隙が形成されるのみであって、その間隙から屋外に手を差し入れることができず、屋内側から障子の両面を拭き掃除することができない。
【０００３】
そのような不都合を解消するため、障子を閉じたとき、その障子の吊元側を窓枠側に引き寄せて密閉性を高めることができると共に、障子の開放状態において、その両側に開口が形成されるよう障子を開放させることができるようにした窓用ステーが提案されている。
【０００４】
【発明が解決しようとする課題】
ところで、従来から知られている窓用ステーにおいては、障子を閉鎖状態としたとき、その障子を窓枠側に引き寄せる引き寄せ機構の構成が複雑であって部品の製造や加工に手間がかかり、また、窓用ステーの部品点数が多く、組立てが困難であるという不都合がある。
【０００５】
この発明の課題は、部品点数の少ない組立ての容易な窓用ステーを提供することである。
【０００６】
【課題を解決するための手段】
上記の課題を解決するために、この発明においては、窓枠側に取付けられる帯板状の枠プレートと、障子側に取付けられる障子プレートと、前記枠プレートに一端部が回動自在に連結され、他端部が障子プレートに回動自在に連結されたアームと、前記障子プレートに一端部が回動自在に連結されたスライダとから成り、前記枠プレートには両端方向に長く延びるガイドレールを設け、そのガイドレールには、スライダの他端部の移動を案内するガイド溝を形成し、そのガイド溝の開口縁から内向きに形成されたフランジの端部に前記ガイド溝の端部開口を閉じる案内片を設け、前記スライダの他端部には、前記ガイド溝に沿ってスライドし、障子プレートが枠プレートに上下でほぼ平行する閉鎖状態の手前位置から前記案内片に接触し始め、その案内片の内面に沿う移動によってスライダの向きを変更するガイド突部と、そのガイド突部との間に前記フランジが挿入される間隔をおいて対向するガイド面とを設け、このガイド面には、ガイド突部と対向する位置に前記フランジと案内片の連成部が嵌合可能な切欠部を形成した構成を採用したのである。
【０００７】
上記のように構成すれば、障子プレートが枠プレートに平行する閉鎖状態の直前でスライダに形成されたガイド突部が案内片の内面に接触し始める。それよりさらに障子プレートが枠プレートの上面に重なる閉鎖状態まで引き寄せられると、ガイド突部は案内片の内面に沿って摺動し、スライダは、障子プレートに対する連結側の端部が窓枠に向いて移動する方向に揺動し、その揺動によって、障子プレートが取付けられた障子を窓枠側に引き寄せることができる。
【０００８】
このように、ガイトレールの端部に案内片を設け、スライダにガイド突部を形成することによって障子の閉鎖時に、その障子を窓枠側に引き寄せることができるので、窓用ステーを枠プレート、障子プレート、アームおよびスライダの４つの部品で形成することができ、窓用ステーの部品点数の低減化を図ることができる。
【０００９】
ここで、案内片はガイドレールの長さ方向に対して傾きをもつ傾斜状のものであってもよく、あるいは、ガイドレールのフランジを接線とする円弧状のものであってもよい。案内片を傾斜状のものとする場合、その案内片は直線状のものとしてもよく、あるいは円弧状のものとしてもよい。
【００１０】
一方、ガイド突部は、ガイドレールのフランジ内面に沿って移動するピン状のものであってもよく、あるいは鋭角部に丸みをもつ菱形のものであってもよい。
【００１１】
【発明の実施の形態】
以下、この発明の実施の形態を図面に基づいて説明する。図１に示すように、この発明に係る窓用ステーは、窓枠の上枠又は下枠に取付けられる枠プレート１と、障子の上桟又は下桟に取付けられる障子プレート１０と、その両プレート１、１０を連結するアーム２０と、前記障子プレート１０に一端部が連結され、他端部が枠プレート１によってスライド自在に支持されるスライダ３０とから成る。
【００１２】
枠プレート１は、帯板状をなし、複数のビス孔２が設けられている。また、枠プレート１には一側縁に沿って両端方向に長く延びるガイドレール３が形成されている。ガイドレール３には、図２に示すように、枠プレート１の上面を底面とするガイド溝４が形成され、そのガイド溝４の開口縁から内向きにフランジ５が設けられている。図１に示すように、フランジ５の一端にはガイド溝４の一端開口を覆う傾斜状の案内片６が折曲げにより形成されている。枠プレート１の他端部にはストッパプレート７が取り付けられ、そのストッパプレート７の一側に設けられた突出部８がガイドレール３のガイド溝４内に配置されている。
【００１３】
障子プレート１０は複数のビス孔１１を有する。この障子プレート１０の長さ方向中央部に前記アーム２０の一端部がピン２１を介して回動自在に連結されている。また、アーム２０の他端部は、枠プレート１の他端部およびその他端部に取付けられた前記ストッパプレート７にピン２２を介して回動自在に連結されている。
【００１４】
前記スライダ３０は、ピン３１を介して障子プレート１０の一端部に回動自在に連結されている。スライダ３０の他端部は前記ガイドレール３のガイド溝４に沿ってスライド可能なガイド突部３２と、そのガイド突部３２との間にガイドレール３のフランジ５が挿入可能な間隔をおいてガイド面３３とが設けられている。
【００１５】
上記ガイド面３３の形成に際し、スライダ３０の他端部にガイドレール３のガイド溝４内に挿入される薄肉の板体部３４を形成しており、その板体部３４上にガイド突部３２を設けている。
【００１６】
ガイド突部３２は平面形状が菱形とされ、対向面の間隔はガイド溝４の内側面とフランジ５の内面間の寸法にほぼ等しくなっている。このガイド突部３２は障子プレート１０が枠プレート１に平行する閉鎖状態の手前位置において、外周の一つの角部３２ａが案内片６の内面に当接するようになっている。
【００１７】
ガイド面３３には、前記ガイド突部３２と対向する位置にＶ形の切欠部３５が設けられ、その切欠部３５にガイドレール３のフランジ５とストッパ片６の交差部に形成されたコーナ部９が挿入可能とされている。
【００１８】
実施の形態で示す窓用ステーは上記の構造から成り、この窓用ステーは、図１に示すように、窓枠Ａの開口を開閉する障子の上下部に配置し、枠プレート１を窓枠Ａの上枠および下枠に取付け、障子プレート１０を障子Ｂの上桟および下桟に取付けて障子Ｂを開閉自在に支持する。
【００１９】
図１は障子Ｂの開放状態を示し、スライダ３０に設けられた板体部３４はストッパプレート７の突出部８の端面に当接し、その当接によって障子Ｂはそれ以上開放するのが防止されている。
【００２０】
図１に示す状態から障子Ｂを同図の矢印で示す方向に引くと、障子Ｂは障子プレート１０とアーム２０を連結するピン２１を中心に回動し、その回動によってスライダ３０がガイドレール３に沿って同図の左側に向けて移動する。また、スライダ３０の移動と共に、アーム２０はピン２２を中心に枠プレート１の上面に重なる方向に揺動する。
【００２１】
障子Ｂが窓枠Ａの開口を全閉する状態の直前の位置まで閉められると、図４に示すように、スライダ３０に設けられたガイド突部３２の外周の一つの角部３２ａが案内片６の内面に当接する。その状態から障子Ｂがさらに閉められると、ガイド突部３２の角部３２ａが案内片６の内面に沿って移動し、その移動によってスライダ３０は障子プレート１０に対する連結部が窓枠１に向けて移動する方向に揺動する。
【００２２】
このとき、スライダ３０のガイド面３３に形成された切欠部３５は図５に示すように、ガイドレール３のフランジ５と案内片６とで形成されるコーナ部９に嵌合するため、スライダ３０の揺動を阻害することがなく、そのスライダ３０の揺動によって、障子Ｂは窓枠Ａ内に引き込まれて窓枠Ａと密着し、密閉状態とされる。
【００２３】
また、障子プレート１０およびアーム２０はプレート１の上面に重なる平行状態とされる。
【００２４】
なお、閉鎖状態の障子Ｂを開放すると、開放初期において、スライダ３０はガイド面３３がガイドレール３のフランジ５と当接する方向に揺動し、そのガイド面３３がフランジ５に当接すると、ガイドレール３に沿ってスライダ３０が移動し、障子Ｂは開放状態とされる。
【００２５】
実施の形態では、案内片６として、ガイドレール３の長さ方向に対して傾斜する円弧状のものを示したが、ガイドレール３の長さ方向に対して傾斜する直線状のものであってもよく、あるいは、フランジ５を接線とする円弧状のものであってもよい。
【００２６】
また、ガイド突部３２は菱形のものに限定されず、ガイドレール３のフランジ５内面に沿って摺動可能なピン状のものであってもよい。
【００２７】
【発明の効果】
以上のように、この発明においては、ガイドレールの端部にガイド溝の端部開口を覆う案内片を形成し、スライダにはガイドレールのガイド溝に沿ってスライド可能なガイド突部と、ガイドレールのフランジによって案内されるガイド面とを設け、そのガイド面に切欠部を形成したことにより、障子の閉鎖時にその障子を窓枠側に引き寄せて窓枠に密着させることができる。このため、窓用ステーを枠プレート、障子プレート、アームおよびスライダの４つの部品で形成することができ、部品点数の少ない組立ての容易な窓用ステーを提供することができる。
【図面の簡単な説明】
【図１】この発明に係る窓用ステーの平面図
【図２】図１のII−II線に沿った断面図
【図３】図１のIII −III 線に沿った断面図
【図４】図１に示す窓用ステーの閉鎖直前の状態を示す一部切欠平面図
【図５】図１に示す窓用ステーの閉鎖状態を示す平面図
【符号の説明】
１  枠プレート
３  ガイドレール
４  ガイド溝
５  フランジ
６  案内片
９  コーナ部
１０  障子プレート
２０  アーム
３０  スライダ
３２  ガイド突部
３２ａ  角部
３３  ガイド面
３５  切欠部
【図１】
0004386506.tif 000002
【図２】
0004386506.tif 000003
【図３】
0004386506.tif 000004
【図４】
0004386506.tif 000005
【図５】
0004386506.tif 000006